(57)【要約】      （修正有）【課題】ＬＥＤ電球などヒートシンクを有する照明手段の放熱効果を損なうことがないカバーを備える照明装置を提供する。【解決手段】ベース部２と、ベース部２の下端に設けられている発光手段３と、を備え、下方に向けて照明する照明装置であって、発光手段は、上端がベース部に取付けられていると共に、上端から下端への水平断面の面積が段々に広くなる略錐状体に形成されているヒートシンク３２と、ヒートシンクの下端に設けられている発光部３３と、を備える。更に、ヒートシンクに載せられてヒートシンクにより支持される設置リング４と、設置リングから外側及び下側へ放射状に張り出すカバー部５とを備える。設置リングはヒートシンクのみと接触し、発光部とは接触しないようになっている。また、延伸リング４２を有することにより、設置安定性と放熱効果を高めている。【選択図】図１
0003185635.tif 000002
【実用新案登録請求の範囲】
【請求項１】
ベース部と、前記ベース部の下端に設けられている発光手段と、を備え、下方に向けて照明する照明装置であって、
前記発光手段は、上端が前記ベース部に取付けられていると共に、上端から下端への水平断面の面積が段々に広くなる略錐状体に形成されているヒートシンクと、前記ヒートシンクの下端に設けられている発光部と、を備えているバルブであり、
更に、前記ヒートシンクに載せられて前記ヒートシンクにより支持される設置リングと、前記設置リングから外側及び下側へ放射状に張り出すカバー部とを備えているカバー手段が取付けられていることを特徴とする照明装置。
【請求項２】
前記カバー手段の前記カバー部は、上端が前記設置リングの外周縁に嵌め込まれるように取付けられていることを特徴とする請求項１に記載の照明装置。
【請求項３】
前記設置リングの前記バルブに面する内周面は、前記ヒートシンクと前記発光部との境界線を跨るように前記ヒートシンクに載せられていることを特徴とする請求項１または請求項２に記載の照明装置。
【請求項４】
前記設置リングは、円環状のリング本体と、該リング本体の上端面の内周縁から突起する延伸リングとを有するように形成されていることを特徴とする請求項１〜請求項３のいずれか一項に記載の照明装置。
【請求項５】
前記設置リングの上端面及び下端面に、それぞれ少なくとも１つの環状溝が凹設されていることを特徴とする請求項１〜請求項４のいずれか一項に記載の照明装置。
【請求項６】
前記ベース部は、ネジ式の口金を有するソケットが配置されており、前記バルブが有する前記ヒートシンクの上端に前記ソケットに挿し込んで電気的接続することができるプラグが形成されていることを特徴とする請求項１〜請求項５のいずれか一項に記載の照明装置。
【考案の詳細な説明】
【技術分野】
【０００１】
本考案は照明装置に関し、特に、ＬＥＤ電球などヒートシンクを有する照明手段に適用するカバーを備える照明装置に関する。
【背景技術】
【０００２】
室内に使われる従来の照明装置は、本体と、照明手段と、カバーとを備えてなるものが殆どである。
【０００３】
カバーを備えることで、照明手段を保護できる上、光の照明方向及び範囲を決めたり、光の色調、色彩を変化させて雰囲気を作り出すこともできる。
【０００４】
一方、従来の照明装置に使用されるカバーは、従来の白熱電球にあわせて、バルブの側面などをも遮蔽するようになっているが、ヒートシンクが必要なＬＥＤ電球が使われると、ヒートシンクの側面を遮蔽することは、ヒートシンクの放熱効果を損なうので、ＬＥＤ電球の使用寿命を減らすことになる。
【考案の概要】
【考案が解決しようとする課題】
【０００５】
上記問題点に鑑みて、本考案はＬＥＤ電球などヒートシンクを有する照明手段に適用するカバーを備える照明装置の提供を目的とする。
【課題を解決するための手段】
【０００６】
上記目的を達成すべく、本考案は、ベース部と、前記ベース部の下端に設けられている発光手段と、を備えており、下方に向けて照明する照明装置であって、前記発光手段は、上端が前記ベース部に取付けられていると共に、上端から下端への水平断面の面積が段々に広くなる略錐状体に形成されているヒートシンクと、前記ヒートシンクの下端に設けられている発光部と、を備えているバルブであり、更に、前記ヒートシンクに載せられて前記ヒートシンクにより支持される設置リングと、前記設置リングから外側及び下側へ放射状に張り出すカバー部とを備えているカバー手段が取付けられていることを特徴とする照明装置を提供する。
【０００７】
上記照明装置において、前記カバー手段の前記カバー部は、上端が前記設置リングの外周縁に嵌め込まれるように取付けられていることが好ましい。
【０００８】
上記照明装置において、前記設置リングの前記バルブに面する内周面は、前記ヒートシンクと前記発光部との境界線を跨るように前記ヒートシンクに載せられていることが好ましい。
【０００９】
上記照明装置において、前記設置リングは、円環状のリング本体と、該リング本体の上端面の内周縁から突起する延伸リングとを有するように形成されていることが好ましい。
【００１０】
上記照明装置において、前記設置リングの上端面及び下端面に、それぞれ少なくとも１つの環状溝が凹設されていることが好ましい。
【００１１】
上記照明装置において、前記ベース部は、ネジ式の口金を有するソケットが配置されており、前記バルブが有する前記ヒートシンクの上端に前記ソケットに挿し込んで電気的接続することができるプラグが形成されていることが好ましい。
【考案の効果】
【００１２】
上記構成により、本考案によれば、カバー手段がヒートシンクに載せられるように取付けられているので、ヒートシンクはカバー手段により包囲されることなく安定に放熱する照明装置を提供することができる。
【図面の簡単な説明】
【００１３】
【図１】本考案の照明装置の分解図である。
【図２】本考案の照明装置の側面図である。
【図３】本考案の照明装置の一部断面図である。
【図４】本考案の照明装置のもう一つの実施形態の側面図である。
【考案を実施するための形態】
【００１４】
以下では各図面を参照しながら、本考案の好ましい実施形態について詳しく説明する。
【００１５】
図１〜図３に本考案の第１の好ましい実施形態が示されている。図示されているように、本考案の照明装置は、ベース部２と、カバー手段と、ベース部２の下端に設けられている発光手段３と、を備え、懸架手段１により懸架されていて上方から下方に向けて照明する照明装置である。
【００１６】
この実施形態において、発光手段３は、上端がベース部２に取付けられていると共に、上端から下端への水平断面の面積が段々に広くなる略錐状体に形成されているヒートシンク３２と、ヒートシンク３２の下端に設けられている発光部３３と、を備えているバルブである。
【００１７】
また、カバー手段は、発光手段３のヒートシンク３２に載せられてヒートシンク３２により支持されている設置リング４と、設置リング４から外側及び下側へ放射状に張り出して発光手段３の発光部３３の側面を包囲しているカバー部５とを備えているものである。
【００１８】
ベース部２は、ネジ式の口金を有するソケット２１が配置されており、照明手段３としてのバルブが有するヒートシンク３２の上端にソケット２１に挿し込んで電気的接続することができるプラグ３１が形成されている。
【００１９】
ヒートシンク３２は、例えば複数の放熱フィンを有することや、凹凸構成を有することによって放熱効果を高めることが好ましい。発光部３３は、例えばヒートシンク３２に取付けられている複数の発光ダイオードモジュールと、該複数の発光ダイオードモジュールを覆うと共にヒートシンク３２に取付けられているドーム状透明カバーを有することが好ましい。
【００２０】
設置リング４は図３に示されているように、円環状のリング本体４１と、該リング本体４１の上端面の内周縁から突起する延伸リング４２とを有するように形成されていると共に、バルブに面する内周面４１３は、ヒートシンク３２と発光部３３との境界線３４を跨るようにヒートシンク３２に載せられていると共に、ヒートシンク３２のみと接触し、発光部３３とは接触しないようになっている。延伸リング４２を有することにより、設置リング４の設置安定性と設置リング４とヒートシンク３２との熱交換効果を高めることができ、そして設置リング４自体も放熱する役割を負うことが可能である。
【００２１】
更に、設置リング４の上端面４１１及び下端面４１２に、それぞれ２つの環状溝４１５が凹設され、空気との接触面積を増やす構成になっている。設置リング４と空気の接触面積を増やすことによって設置リング４の放熱効果を高めることができる。
【００２２】
カバー部５は、上端に取付けリング５１が形成されていて設置リング４の外周縁に形成されている係合溝４１４に嵌め込まれるように設置リング４に取付けられている。そしてカバー部５の本体５２は、取付けリング５１から外側及び下側へ放射状に張り出して発光手段３の発光部３３の側面を包囲するように形成されている。
【００２３】
図４に本考案の照明装置のもう一つの実施形態が示されている。図示のように、本考案の照明装置に使用されるカバー部５の構成は特に制限がなく、設置リング４から外側及び下側へ放射状に張り出していて発光部３３の側面の少なくとも一部を遮蔽することができる構成であれば、本体５２の形状に様々な変更を加えることが可能である。
【００２４】
上記構成により、本考案の照明装置は、カバー手段がヒートシンクに載せられるように取付けられているので、ヒートシンクはカバー手段により包囲されることなく安定に放熱する照明装置を提供することができる上、発光手段３を取り替えても、同一の設置リング４を使用することができ、そしてベース２、発光手段３を取り替えずに、カバー部５の構成のみを変更することも可能である。
【産業上の利用可能性】
【００２５】
上記構成により、本考案の照明装置は、省エネルギーが重要視されるＬＥＤ電球などヒートシンクを有する照明手段に適用するカバーを備える照明装置を提供することができる。
【符号の説明】
【００２６】
１    懸架手段
２    ベース部
３    発光手段
４    設置リング
５    カバー部
２１    ソケット
３１    プラグ
３２    ヒートシンク
３３    発光部
４１    リング本体
４２    延伸リング
５１    取付けリング
５２    本体
４１１    上端面
４１２    下端面
４１３    内周面
４１４    係合溝
４１５    環状溝
【図１】
0003185635.tif 000003
【図２】
0003185635.tif 000004
【図３】
0003185635.tif 000005
【図４】
0003185635.tif 000006